(57)【特許請求の範囲】
【請求項１】
選択可能な周波数の異なる第１、第２のスイッチング信号を備えるスイッチング電源と、選局のためにＩＦ信号の周波数を計数する計数手段とを有するとともに、自動的にチューニングを行うオートチューニング機能を備えた放送信号受信装置において、
前記第１、第２のスイッチング信号のうち一方のスイッチング信号から他方のスイッチング信号に切り換えるスイッチング信号切換手段と、
第１のスイッチング信号で前記スイッチング電源を動作させているときに前記計数手段で前記ＩＦ信号の周波数を計数した第１のＩＦカウント値と、前記第２のスイッチング信号で前記スイッチング電源を動作させているときに前記計数手段で前記ＩＦ信号の周波数を計数した第２のＩＦカウント値とを比較するＩＦカウント値比較手段とを有し、
前記オートチューニングを行っているときに前記計数手段によって計数した前記第１のＩＦカウント値と前記第２のＩＦカウント値を前記ＩＦカウント値比較手段で比較して一致するときは放送信号と判断することを特徴とする放送信号受信装置。
【請求項２】
選択可能な周波数の異なる第１、第２のスイッチング信号を備えるスイッチング電源と、選局のためにＩＦ信号の周波数を計数する計数手段とを有するとともに、自動的にチューニングを行うオートチューニング機能を備えた放送信号受信装置において、
前記第１、第２のスイッチング信号のうち一方のスイッチング信号から他方のスイッチング信号に切り換えるスイッチング信号切換手段と、
第１のスイッチング信号で前記スイッチング電源を動作させているときに前記計数手段で前記ＩＦ信号の周波数を計数した第１のＩＦカウント値と、前記第２のスイッチング信号で前記スイッチング電源を動作させているときに前記計数手段で前記ＩＦ信号の周波数を計数した第２のＩＦカウント値とを比較するＩＦカウント値比較手段と、
前記第１、第２のスイッチング信号の周波数を特定の値に仮定して、前記第１、第２のスイッチング信号の基本波及び高調波に周波数的に近い放送チャンネルの局部発振信号で選局動作を行ったときに前記計数手段によって計数した前記第１のＩＦカウント値と前記第２のＩＦカウント値を前記ＩＦカウント値比較手段で比較して一致するときは放送信号を、又、一致しないときは前記第１又は第２のスイッチング信号の基本波又は高調波による妨害波を受信したものとして認識する認識手段とを有し、
該認識手段によって妨害波が受信されたと認識されたときに、前記第１のスイッチング信号の基本波又は高調波に周波数的に近い放送チャンネルの局部発振信号で選局動作を行っていた場合、前記第１のＩＦ周波数カウント値より前記第１のスイッチング信号の周波数を求め、
又、前記認識手段によって妨害波が受信されたと認識されたときに、前記第２のスイッチング信号の基本波又は高調波に周波数的に近い放送チャンネルの局部発振信号で選局動作を行っていた場合、前記第２のＩＦ周波数カウント値より前記第２のスイッチング信号の周波数を求めることを特徴とする放送信号受信装置。
【請求項３】
前記放送チャンネルの周波数が、放送帯域外の周波数であることを特徴とする請求項２に記載の放送信号受信装置。
【請求項４】
前記スイッチング信号と前記ＩＦ信号のうち一方を前記計数手段へ入力する信号切換手段と、
前記計数手段によって前記複数のスイッチング信号の周波数をそれぞれ検出し、前記選局動作に影響をもたらすことのない周波数のスイッチング信号を選択する手段と、
を有することを特徴とする請求項１〜請求項３のいずれかに記載の放送信号受信装置。
【請求項５】
選択されたスイッチング信号と前記ＩＦ信号のうち一方を前記計数手段へ入力する信号切換手段と、
前記計数手段によって、選択された一方のスイッチング信号の周波数ｆｓを検出し、周波数ｆの放送信号を選局したとき、これらの周波数の差｜ｆｓ−ｆ｜が所定の値以下となる場合、選択されていない他方のスイッチング信号に切り換える手段と、
を有することを特徴とする請求項１〜請求項４のいずれかに記載の放送信号受信装置。
【請求項６】
前記選択された一方のスイッチング信号の第ｎ高調波の周波数（ｎ＋１）×ｆｓと選局された前記放送信号の周波数ｆとの差｜（ｎ＋１）×ｆｓ−ｆ｜が前記所定の値以下となるか否かを判別する判別手段を有し、
前記選択された一方のスイッチング信号と前記放送信号の周波数の差｜ｆｓ−ｆ｜と前記選択された一方のスイッチング信号の第ｎ高調波と前記放送信号の周波数の差｜（ｎ＋１）×ｆｓ−ｆ｜とが共に前記所定の値以下となるとき、前記選択されていない他方のスイッチング信号に切り換えることを特徴とする請求項５に記載の放送信号受信装置。
【請求項７】
オートチューニングを行ったときに、前記第１、第２のＩＦカウント値が同一ならば放送信号として記憶する記憶手段を有し、
該記憶手段に記憶させた信号が、前記放送信号の周波数に関する情報と前記放送信号の妨害とならないスイッチング信号を選択するための情報とを有することを特徴とする請求項２〜請求項６のいずれかに記載の放送信号受信装置。
【請求項８】
前記記憶手段に記憶させた信号が８ビットのデジタル信号であるとともに、その８ビット信号のうち１ビットが前記放送信号の妨害とならないスイッチング信号を選択するための情報を表す信号であることを特徴とする請求項７に記載の放送信号受信装置。
【請求項９】
前記第１、第２のスイッチング信号の周波数が、放送帯域外の周波数であることを特徴とする請求項１〜請求項８のいずれかに記載の放送信号受信装置。
【請求項１０】
前記第１、第２のスイッチング信号の第ｎ高調波のうち少なくとも一方が、放送帯域において最も高い周波数から所定の周波数分高い周波数となるように、前記第１、第２のスイッチング信号の周波数が設定されることを特徴とする請求項１〜請求項９のいずれかに記載の放送信号受信装置。
【発明の詳細な説明】
【０００１】
【発明の属する技術分野】
本発明は、オートチューニングを行うために中間周波数信号（ＩＦ信号）の出力を計数するカウント機能を有するＰＬＬシンセサイザー方式のチューナを備えたラジオやステレオ装置などの放送信号受信装置に関するもので、特に、受信信号を妨害することのないスイッチング電源を有する放送信号受信装置に関する。
【０００２】
【従来の技術】
放送信号受信装置には、マイクロコンピュータのクロックを発振するためのクロック発振器やスイッチング電源のスイッチング信号を発振するためのスイッチング信号発振器などの発振器が設けられている。これらの発振器から発振される信号の周波数やその高調波の周波数が、前記放送信号受信装置の受信動作に妨害を与えることがある。そのため、これらの妨害を阻止するためこれらの発振器を妨害電波が漏れないようにシールドしたり、機械的スイッチを設けて、受信時に妨害がでた場合、そのスイッチを切り換えることによって発振される信号の周波数を変化させていた。
【０００３】
又、特開平５−２５９９９８号公報のように、シールドや機械的スイッチを使用せずに、前記クロックの周波数が受信する放送信号の周波数にイメージ妨害を与えるような周波数であるとき、そのクロックの周波数を切り換えるための発振周波数切換手段を有する放送信号受信装置が提供されている。
【０００４】
【発明が解決しようとする課題】
しかしながら、特開平５−２５９９９８号公報にて提供される放送信号受信装置は、該放送信号受信装置のシステムとなるマイクロコンピュータに発振されるクロックの周波数が前記放送信号のイメージ周波数となるときに切り換えるためのもので、前記スイッチング電源に発振されるスイッチング信号のような低い周波数の信号のように、その基本波及び高調波が直接、妨害となる信号には対応していない。
【０００５】
又、特開平５−２５９９９８にて提供される放送信号受信装置は、前記クロックの周波数を計数するための専用の計数手段を、選局のためのＩＦ信号の周波数を計数する計数手段とは別に備えている。
【０００６】
本発明は、周波数の違う複数のスイッチング信号を有するスイッチング電源を備え、前記スイッチング信号の周波数を計数するための専用の計数手段を設けることなく、前記スイッチング信号の周波数を計数することができる放送信号受信装置を提供することを目的とする。
【０００７】
本発明は、選局を行ったときに、スイッチング信号が選局を行う放送信号の妨害となるような信号であるか否かを判断して、前記放送信号の妨害とならないスイッチング信号に自動的に切り換えることのできる放送信号受信装置を提供することを目的とする。
【０００８】
本発明は、自動的に選局を行ったときに、その受信した信号が放送信号かスイッチング信号による妨害電波かを判定することができる放送信号受信装置を提供することを目的とする。
【０００９】
本発明は、放送信号の妨害を受けずにスイッチング信号の周波数を計数することができる放送信号受信装置を提供することを目的とする。
【００１０】
【課題を解決するための手段】
請求項１に記載の放送信号受信装置は、選択可能な周波数の異なる第１、第２のスイッチング信号を備えるスイッチング電源と、選局のためにＩＦ信号の周波数を計数する計数手段とを有するとともに、自動的にチューニングを行うオートチューニング機能を備えた放送信号受信装置において、前記第１、第２のスイッチング信号のうち一方のスイッチング信号から他方のスイッチング信号に切り換えるスイッチング信号切換手段と、第１のスイッチング信号で前記スイッチング電源を動作させているときに前記計数手段で前記ＩＦ信号の周波数を計数した第１のＩＦカウント値と、前記第２のスイッチング信号で前記スイッチング電源を動作させているときに前記計数手段で前記ＩＦ信号の周波数を計数した第２のＩＦカウント値とを比較するＩＦカウント値比較手段とを有し、前記オートチューニングを行っているときに前記計数手段によって計数した前記第１のＩＦカウント値と前記第２のＩＦカウント値を前記ＩＦカウント値比較手段で比較して一致するときは放送信号と判断することを特徴とする。
【００１１】
請求項２に記載の放送信号受信装置は、選択可能な周波数の異なる第１、第２のスイッチング信号を備えるスイッチング電源と、選局のためにＩＦ信号の周波数を計数する計数手段とを有するとともに、自動的にチューニングを行うオートチューニング機能を備えた放送信号受信装置において、前記第１、第２のスイッチング信号のうち一方のスイッチング信号から他方のスイッチング信号に切り換えるスイッチング信号切換手段と、第１のスイッチング信号で前記スイッチング電源を動作させているときに前記計数手段で前記ＩＦ信号の周波数を計数した第１のＩＦカウント値と、前記第２のスイッチング信号で前記スイッチング電源を動作させているときに前記計数手段で前記ＩＦ信号の周波数を計数した第２のＩＦカウント値とを比較するＩＦカウント値比較手段と、前記第１、第２のスイッチング信号の周波数を特定の値に仮定して、前記第１、第２のスイッチング信号の基本波及び高調波に周波数的に近い放送チャンネルの局部発振信号で選局動作を行ったときに前記計数手段によって計数した前記第１のＩＦカウント値と前記第２のＩＦカウント値を前記ＩＦカウント値比較手段で比較して一致するときは放送信号を、又、一致しないときは前記第１又は第２のスイッチング信号の基本波又は高調波による妨害波を受信したものとして認識する認識手段とを有し、該認識手段によって妨害波が受信されたと認識されたときに、前記第１のスイッチング信号の基本波又は高調波に周波数的に近い放送チャンネルの局部発振信号で選局動作を行っていた場合、前記第１のＩＦ周波数カウント値より前記第１のスイッチング信号の周波数を求め、又、前記認識手段によって妨害波が受信されたと認識されたときに、前記第２のスイッチング信号の基本波又は高調波に周波数的に近い放送チャンネルの局部発振信号で選局動作を行っていた場合、前記第２のＩＦ周波数カウント値より前記第２のスイッチング信号の周波数を求めることを特徴とする。
【００１２】
請求項３に記載の放送信号受信装置は、請求項２に記載の放送信号受信装置において、前記放送チャンネルの周波数が、放送帯域外の周波数であることを特徴とする。
【００１３】
請求項４に記載の放送信号受信装置は、請求項１〜請求項３のいずれかに記載の放送信号受信装置において、前記スイッチング信号と前記ＩＦ信号のうち一方を前記計数手段へ入力する信号切換手段と、前記計数手段によって前記複数のスイッチング信号の周波数をそれぞれ検出し、前記選局動作に影響をもたらすことのない周波数のスイッチング信号を選択する手段と、を有することを特徴とする。
【００１６】
請求項５に記載の放送信号受信装置は、請求項１〜請求項４のいずれかに記載の放送信号受信装置において、選択されたスイッチング信号と前記ＩＦ信号のうち一方を前記計数手段へ入力する信号切換手段と、前記計数手段によって、選択された一方のスイッチング信号の周波数ｆｓを検出し、周波数ｆの放送信号を選局したとき、これらの周波数の差｜ｆｓ−ｆ｜が所定の値以下となる場合、選択されていない他方のスイッチング信号に切り換える手段と、を有することを特徴とする。
【００１７】
請求項６に記載の放送信号受信装置は、請求項５に記載の放送信号受信装置において、前記選択された一方のスイッチング信号の第ｎ高調波の周波数（ｎ＋１）×ｆｓと選局された前記放送信号の周波数ｆとの差｜（ｎ＋１）×ｆｓ−ｆ｜が前記所定の値以下となるか否かを判別する判別手段を有し、前記選択された一方のスイッチング信号と前記放送信号の周波数の差｜ｆｓ−ｆ｜と前記選択された一方のスイッチング信号の第ｎ高調波と前記放送信号の周波数の差｜（ｎ＋１）×ｆｓ−ｆ｜とが共に前記所定の値以下となるとき、前記選択されていない他方のスイッチング信号に切り換えることを特徴とする。
【００１８】
請求項７に記載の放送信号受信装置は、請求項２〜請求項６のいずれかに記載の放送信号受信装置において、オートチューニングを行ったときに、前記第１、第２のＩＦカウント値が同一ならば放送信号として記憶する記憶手段を有し、該記憶手段に記憶させた信号が、前記放送信号の周波数に関する情報と前記放送信号の妨害とならないスイッチング信号を選択するための情報とを有することを特徴とする。
【００１９】
請求項８に記載の放送信号受信装置は、請求項７に記載の放送信号受信装置において、前記記憶手段に記憶させた信号が８ビットのデジタル信号であるとともに、その８ビット信号のうち１ビットが前記放送信号の妨害とならないスイッチング信号を選択するための情報を表す信号であることを特徴とする。
【００２０】
請求項９に記載の放送信号受信装置は、請求項１〜請求項８のいずれかに記載の放送信号受信装置において、前記第１、第２のスイッチング信号の周波数が、放送帯域外の周波数であることを特徴とする。
【００２１】
請求項１０に記載の放送信号受信装置は、請求項１〜請求項９のいずれかに記載の放送信号受信装置において、前記第１、第２のスイッチング信号の第ｎ高調波のうち少なくとも一方が、放送帯域において最も高い周波数から所定の周波数分高い周波数となるように、前記第１、第２のスイッチング信号の周波数が設定されることを特徴とする。
【００２２】
【発明の実施の形態】
本発明の第１の実施形態について、図面を参照にして説明する。図１は、本実施形態で使用する放送信号受信装置の内部構成を示すブロック図である。図２は、本実施形態で使用する放送信号受信装置の動作を示すフローチャートである。本実施形態で使用する放送信号受信装置は、直流電源３と接続したスイッチング電源１と、信号を受信する受信装置本体１７と、スイッチング電源１及び受信装置本体１７の制御を行うコントロールマイコン１４によって構成される。
【００２３】
前記スイッチング電源１は、チョッパ昇圧方式の基本的な構成のもので、前記直流電源３に接続されたコイル２と、該コイル２の他端に接続されたスイッチ４及び直流化回路７と、前記コイル２及び該直流化回路７を介して前記直流電源３と接続した負荷８と、前記スイッチ４のＯＮ／ＯＦＦのタイミングの制御を行うコントローラ９とを有し、更に、前記直流化回路７が前記コイル２にアノードが接続されたダイオード５及び該ダイオード５のカソードに一端が接続されるとともに他端が前記直流電源３と接続された平滑コンデンサ６によって構成される。
【００２４】
このようなチョッパ昇圧方式のスイッチング電源１の基本動作は周知の通りで、負荷８に印加される出力電圧は、直流電源３からの出力電圧とスイッチ４がＯＮしている時間とＯＦＦしている時間との比率であるオンオフデューティーとで決定され、スイッチ４のＯＮ／ＯＦＦを行うためのコントローラ９から出力されるスイッチング信号の周波数による影響は受けない。又、コントローラ９は、負荷８に印加される出力電圧がフィードバックされ該出力電圧を一定にするように、スイッチ４に印加するスイッチング信号のオンオフデューティーを制御するとともに、２つの異なる周波数のスイッチング信号を持ち、これらのスイッチング信号がコントロールマイコン１４によって選択される。
【００２５】
前記受信装置本体１７は、高周波信号（ＲＦ信号）と同調するアンテナ１０と、アンテナ１０から入力されたＲＦ信号を増幅した後中間周波数信号（ＩＦ信号）に変換するＩＦ信号変換部１１と、該ＩＦ信号変換部１１から出力されるＩＦ信号から検波を行うとともに検波した信号を増幅する出力増幅部１５と、該出力増幅部１５からの出力を音として出力するスピーカ１６と、前記ＩＦ信号変換部１１内の局部発振回路２１（図３）から発振される信号の周波数を変更するためのＰＬＬ（Phase Locked Loop）用ＩＣ１２と、該ＰＬＬ用ＩＣ１２内に備えられた周波数カウント回路１３と前記出力増幅部１５及びコントローラ９とを接続する信号切換スイッチ１８とを有する。
【００２６】
前記受信装置本体１７内の、前記ＩＦ信号変換部１１と、前記出力増幅部１５と、ＰＬＬ用ＩＣ１２との関係を図３を参照にして説明する。尚、図３に示す受信装置本体１７の内部構造のブロック図は、受信動作を行っているときのブロック図で、前記出力増幅部１５と周波数カウント回路１３とが信号切換スイッチ１８によって接続されているものとする。まず、前記ＩＦ信号変換部１１は、アンテナ１０から入力されるＲＦ信号を増幅するＲＦ増幅回路１９と、前記ＲＦ信号の周波数よりもＩＦ信号の周波数分高い周波数の局部発振信号を出力する局部発振回路２１と、前記ＲＦ信号と前記局部発振信号が入力されるとともにＩＦ信号を出力するミキサ２０とから構成される。
【００２７】
又、前記出力増幅部１５は、前記ミキサ２０から出力されるＩＦ信号を増幅するＩＦ増幅回路２２と、該ＩＦ増幅回路２２で増幅されたＩＦ信号を検波し出力信号に変換する検波回路２３と、該出力信号を増幅してスピーカ１６に出力する出力増幅回路２４とを有する。又、前記ＰＬＬ用ＩＣ１２には、前記ＩＦ増幅回路２２から出力されるＩＦ信号の周波数をカウントするとともにそのカウントした値をコントロールマイコン１４に出力する周波数カウント回路１３と、前記局部発振信号を分周する分周器２５と、基準となる基準波を発振する基準波発振回路２８と、該基準波を分周する分周器２７と、前記分周器２５，２７から出力される信号の位相差を比較する位相比較回路２６と、該位相比較回路２６から出力される信号のうち周波数の低い信号を通過させるローパスフィルタであるＬＰＦ２９とを有する。
【００２８】
このようなＰＬＬ方式のシンセサイザチューナを形成する受信装置本体１７の動作をＡＭラジオ放送をオートチューニングするときの動作を例にして簡単に説明する。オートチューニングを行って、順番にＡＭラジオ放送の放送信号を選局したとき、ＩＦ増幅回路２２から出力されるＩＦ信号の周波数を周波数カウント回路１３でカウントした結果４５５ｋＨｚでないとき、コントロールマイコン１４によって、次の放送チャンネルに移行するように、分周器２５の分周率を変更させる。このようにして変更された分周率により局部発振回路から送出される局部発振信号の周波数が分周されて分周器２５より出力される信号と、基準波発振回路２８から送出される基準波の周波数が分周されて分周器２７から出力される信号との位相が位相比較回路２６で比較される。
【００２９】
位相比較回路２６から出力される信号のうち周波数の低い信号がＬＰＦ２９を通過し、このようにＬＰＦ２９を通過した信号によって、局部発振回路２１から出力される局部発振信号の周波数を変更させ、前記分周器２５，２７から出力される信号の位相を近づけることによって前記局部発振信号の周波数を決定する。このようにして、前記局部発振信号の周波数を変更することによって、次の放送チャンネルの信号を選局させる。このとき、放送信号が受信されなかったとき、上記のような動作を繰り返し、この動作は放送信号が受信されるまで繰り返される。
【００３０】
このような放送信号受信装置において、コントローラ９の第１，第２スイッチング信号の周波数がそれぞれＡ，ＢｋＨｚであり、ＦｋＨｚのＡＭラジオの放送信号を選局したときの動作について説明する。又、放送信号を受信したときのＩＦ信号の周波数を４５５ｋＨｚとする。まず、コントロールマイコン１４により音声のボリュームが下げられて、音声ミュートの状態にされる（ステップＳ１）。尚、このとき、コントローラ９から出力される信号が第１スイッチング信号であるとする。
【００３１】
次に、ＦｋＨｚの放送信号を選局するように、局部発振回路２１から（Ｆ＋４５５）ｋＨｚの周波数の信号を発振し（ステップＳ２）、信号切換スイッチ１８をコントロールマイコン１４によってコントローラ９側に接続するように制御する（ステップＳ３）。このようにして、コントローラ９から出力される第１スイッチング信号がＰＬＬ用ＩＣ１２の周波数カウント回路１３に入力され、該周波数カウント回路１３で前記第１スイッチング信号の周波数がカウントされるとともに、コントロールマイコン１４にそのカウントした結果が送出され、前記第１スイッチング信号の周波数ＡｋＨｚが記憶される（ステップＳ４）。
【００３２】
このように、前記第１のスイッチング信号の周波数ＡｋＨｚがコントロールマイコン１４に記憶されると、該コントロールマイコン１４によって、コントローラ９から送出するスイッチング信号を第２スイッチング信号に切り換える（ステップＳ５）。この第２スイッチング信号の周波数も、前記第１スイッチング信号の周波数と同様に、前記周波数カウント回路１３によって前記第２スイッチング信号の周波数がカウントされるとともに、コントロールマイコン１４にそのカウントした結果が送出され、前記第２スイッチング信号の周波数ＢｋＨｚが記憶される（ステップＳ６）。
【００３３】
第１，第２スイッチング信号の周波数がコントロールマイコン１４によって、Ａ，ＢｋＨｚと記憶されると、次に、選局する前記放送信号の周波数と第１スイッチング信号の周波数の関係が、
Ａ−４０≦Ｆ≦Ａ＋４０
となるか否か比較する（ステップＳ７）。今、前記放送信号の周波数が、上記のような範囲にあるときは、第１スイッチング信号で動作しているスイッチング電源１から発生する妨害電波によって前記放送信号が影響を受けるものとして、ステップＳ１０の動作を行い、逆に上記のような範囲にないときは、ステップＳ８の動作を行う。
【００３４】
ステップＳ８では、前記放送信号の周波数と（２×Ａ）ｋＨｚとなる第１スイッチング信号の第１高調波の周波数の関係が、
２×Ａ−４０≦Ｆ≦２×Ａ＋４０
となるか否か比較する。今、前記放送信号の周波数が、上記のような範囲にあるときは、第１スイッチング信号で動作しているスイッチング電源１から発生する妨害電波によって前記放送信号が影響を受けるものとして、ステップＳ１０の動作を行い、逆に上記のような範囲にないときは、ステップＳ９の動作を行う。
【００３５】
このようにして、ステップＳ９，Ｓ１０に移行すると、ステップＳ９ではコントローラ９から出力されるスイッチング信号を第１スイッチング信号に設定し、ステップ１０ではコントローラ９から出力されるスイッチング信号を第２スイッチング信号に設定する。このように、スイッチング信号を設定した後、前記信号切換スイッチ１８を、出力増幅部１５と周波数カウント回路１３とが接続されるように切り換える（ステップＳ１１）。最後に、音声ミュートの状態を解除し、音声のボリュームを上げる（ステップＳ１２）。
【００３６】
又、ステップＳ１の時点でコントローラ９から発振されるスイッチング信号が第２スイッチング信号であるとき、ステップＳ２以下の動作において、第１スイッチング信号と第２スイッチング信号を逆にした動作を行う。即ち、ステップＳ４で周波数ＢｋＨｚを記憶するとともにステップＳ６で周波数ＡｋＨｚを記憶し、ステップＳ７で第２スイッチング信号の周波数ＢｋＨｚと前記放送信号の周波数ＦｋＨｚとを比較するとともにステップＳ８で第２スイッチング信号の第１高調波の周波数（２×Ｂ）ｋＨｚと前記放送信号の周波数ＦｋＨｚとを比較する。更に、ステップＳ９では、スイッチング信号を第２スイッチング信号に設定し、ステップＳ１０では、スイッチング信号を第１スイッチング信号に設定する。
【００３７】
下記にＦ，Ａ，Ｂに実際の数値を入れたときの例を示す。今、第１，第２スイッチング信号の周波数をそれぞれ５００ｋＨｚ、６００ｋＨｚとし、ステップＳ１の時点で第１スイッチング信号が発振されているものとする。このとき、放送信号の周波数が６１２ｋＨｚであるとき、ステップＳ７で、
５００＋４０＜６１２
となるので、ステップＳ８に移行する。更に、このステップＳ８で、
６１２＜２×５００−４０
となるので、ステップＳ９に移行し、コントローラ９から発振されるスイッチング信号を第１スイッチング信号に設定する。
【００３８】
又、前記放送信号の周波数が５２２ｋＨｚであるとき、ステップＳ７で、
５００−４０≦５２２≦５００＋４０
となるので、ステップＳ１０に移行し、コントローラ９から発振されるスイッチング信号を第２スイッチング信号に設定する。
【００３９】
又、前記放送信号の周波数が９９９ｋＨｚであるとき、ステップＳ７で、
５００＋４０＜９９９
となるので、ステップＳ８に移行する。更に、このステップＳ８で、
２×５００−４０≦９９９≦２×５００＋４０
となるので、ステップＳ１０に移行し、コントローラ９から発振されるスイッチング信号を第２スイッチング信号に設定する。
【００４０】
尚、本実施形態で行う動作のうち、図２のフローチャートのステップＳ５及びステップＳ６の動作を省略して、前記第１，第２のスイッチング信号の周波数のうち一方を記憶して前記放送信号の周波数と比較することによってスイッチング信号の設定を行っても良い。
【００４１】
本発明の第２の実施形態について、図面を参照にして説明する。図４は、本実施形態で使用する放送信号受信装置の内部構成を示すブロック図である。図５は、本実施形態で使用する放送信号受信装置の動作を示すフローチャートである。尚、図４に示す放送信号受信装置において、図１に示す放送信号受信装置と同様の目的で使用される部分については、図１に用いた記号と同じ記号を付して、その詳細な説明は省略し、変更した点について説明する。
【００４２】
図４に示す放送信号受信装置は、信号切換スイッチ１８を有さず、出力増幅部１５と周波数カウント回路１３が直接接続した形となっている。又、信号切換スイッチ１８が設けられていないので、コントローラ９と周波数カウント回路１３は接続することがない。又、該放送信号受信装置に設けられる受信装置本体１７は、図３に示すような内部構造の受信装置本体である。該受信装置本体１７は、第１の実施形態で説明した受信装置本体１７と同様の構造をしているので、その詳細な説明は省略する。
【００４３】
まず、使用者によって釦が押されるなどして、現在受信している放送信号の周波数よりも高いもしくは低い周波数の放送信号を受信するオートチューニングが開始すると、コントロールマイコン１４により音声のボリュームが下げられて、音声ミュートの状態にされる（ステップＳ２１）。このとき、コントローラ９から発振するスイッチング信号を第１スイッチング信号に設定する。今、放送信号受信装置がＡＭラジオ放送を受信し、使用者によって現在受信している放送信号の周波数よりも高い周波数の放送信号を受信するための釦が押されたとき、現在受信している放送信号の周波数よりも９ｋＨｚ高い周波数の放送信号を受信するように選局周波数を設定する（ステップＳ２２）。
【００４４】
上記のように選局周波数を設定すると、ＩＦ信号の周波数を周波数カウント回路１３によってカウントして、スイッチング電源１が第１スイッチング信号で動作しているときのＩＦ信号の第１ＩＦカウント値を計数する（ステップＳ２３）。尚、通常時に放送信号を受信したときのＩＦ信号の周波数を４５５ｋＨｚとする。このように、放送信号を受信したとき、ＩＦ信号の周波数が４５５ｋＨｚとなるので、１秒（これ以降、秒をｓとおく。）間のＩＦ信号のＩＦカウント値は、４５５０００カウントとなる。
【００４５】
今、周波数カウント回路１３で１０ｍｓ間、前記ＩＦ信号をカウントするとすると、放送信号を受信したときのＩＦ信号のＩＦカウント値は、
４５５０００×１０ｍｓ／１０００ｍｓ＝４５５０
より４５５０カウントとなる。即ち、４５５０００カウント中１０の桁以下のカウント数が無視されるＩＦカウント値となる。又、受信周波数における±１００Ｈｚの誤差に該当する±１００カウント以下の誤差は、前記ＩＦカウント値において、±１カウントの誤差となる。よって、受信周波数における±１００Ｈｚの誤差は問題のないレベルとされるので、前記第１ＩＦカウント値が４５４９〜４５５１カウントであれば放送信号があると判断する（ステップＳ２４）。
【００４６】
ステップＳ２４で放送信号があると判断されたとき、ステップＳ２５に移行し、又、放送信号がないと判断されたとき、ステップＳ２２に戻り現在の選局周波数に９ｋＨｚを加えた選局周波数を設定する。ステップＳ２５に移行すると、コントローラ９から出力されるスイッチング信号を第２スイッチング信号に切り換えるようにコントロールマイコン１４によって制御される。このようにして、スイッチング電源１が第２スイッチング信号によって動作されている状態で、ステップＳ２３のように、ＩＦ信号の周波数を周波数カウント回路１３で１０ｍｓ間カウントして第２ＩＦカウント値を計数する（ステップＳ２６）。
【００４７】
次に、上記のようにして計数した前記第２ＩＦカウント値が、前記第１ＩＦカウント値と一致するか否かを判別する（ステップＳ２７）。即ち、前記第２ＩＦカウント値が４５４９〜４５５１カウントであるか否かを判別する。このようにして、前記第１，第２ＩＦカウント値が一致するとき、ステップＳ２８に移行し放送信号として受信されオートチューニングの動作が終了し、又、前記第１，第２ＩＦカウント値が一致しないとき、ステップＳ２２に移行して選局周波数が設定される。
【００４８】
即ち、ステップＳ２７では、前記第１，第２ＩＦカウント値が一致しないとき、第１スイッチング信号で動作を行っているときにスイッチング電源１から発生する妨害電波であると判定する。このような処理を行うことによって、スイッチング電源１から発生される妨害電波を放送信号として誤認識することなく、放送信号を受信し（ステップＳ２８）、音声ミュートの状態が解除されて（ステップＳ２９）、オートチューニング動作を終了する。
【００４９】
尚、上記では、現在受信している放送信号の周波数よりも高い周波数の放送信号を受信するためにオートチューニングする方法を述べたが、現在受信している放送信号の周波数よりも低い周波数の放送信号を受信するときは、ＡＭラジオ放送の場合、ステップＳ２２において、選局周波数が現在受信している放送信号の周波数よりも９ｋＨｚ低い周波数となるように受信する放送信号の周波数を設定する。
【００５０】
本発明の第３の実施形態について、図面を参照にして説明する。図６は、本実施形態で使用する放送信号受信装置のスイッチング信号の周波数を測定するための動作を示すフローチャートである。尚、本実施形態で使用する放送信号受信装置は、第１又は第２の実施形態で使用する放送信号受信装置と同様、図１又は図４に示すような内部構造の放送信号受信装置である。
【００５１】
コントローラ９（図１，４）より出力される第１，第２スイッチング信号の周波数が、それぞれ、５００ｋＨｚ、６００ｋＨｚであるとする。このとき、第１スイッチング信号の第１，第２高調波は、それぞれ、その周波数が１０００ｋＨｚ、１５００ｋＨｚとなる。又、第２スイッチング信号の第１，第２高調波は、それぞれ、その周波数が１２００ｋＨｚ、１８００ｋＨｚとなる。尚、基本波の周波数がｆｋＨｚのスイッチング信号の第ｎ高調波は、その周波数がｆ×（ｎ＋１）ｋＨｚとなる。
【００５２】
このような第１，第２スイッチング信号を測定するための、該第１，第２スイッチング信号の基本波、及び第１，第２高調波の近傍にあるとともに、前記第１，第２スイッチング信号を測定するために同調させる放送チャンネルの周波数を特定受信周波数と呼ぶ。この特定受信周波数、スイッチング信号、及び放送帯域の関係を、横軸が周波数の大きさを表す図９に示す。図９のように、放送帯域が一定周波数ｆｄｋＨｚ毎に放送チャンネルが割り当てられているものとすると、その放送チャンネルには放送信号がある放送チャンネルと放送信号のない放送チャンネルがある。このような放送チャンネルにおいて、更に、図のように、スイッチング信号の基本波及び第１，第２高調波に周波数的に近い放送チャンネルの周波数を特定受信周波数とする。
【００５３】
今、第１スイッチング信号の基本波、及び第１，第２高調波の近傍にある第１特定受信周波数１，２，３を、それぞれ５２２ｋＨｚ、９９９ｋＨｚ、１５０３ｋＨｚとする。又、第２スイッチング信号の基本波、及び第１，第２高調波の近傍にある第２特定受信周波数１，２，３を、それぞれ６０３ｋＨｚ、１１９７ｋＨｚ、１８００ｋＨｚとする。このような数値を元に、図６のフローチャートについて説明する。
【００５４】
コントロールマイコン１４（図１，４）に、スイッチング信号の周波数を測定するように指示が与えられると、ステップＳ４１において、Ｍ＝１、Ｎ＝１になるように初期化され、ステップＳ４２に移行する。尚、Ｍという値は、第Ｍスイッチング信号及び第Ｍ特定受信周波数ＮにおけるＭを表し、Ｎという値は、第Ｍ特定受信周波数ＮにおけるＮを表す。ステップＳ４２では、コントローラ９のスイッチング信号を第１スイッチング信号に設定する。
【００５５】
次に、特定受信周波数を第Ｍ特定受信周波数Ｎに設定する（ステップＳ４３）。尚、今、Ｍ＝１、Ｎ＝１であるので、第１特定受信周波数１に設定される。この状態で、ＩＦ信号を周波数カウント回路でカウントし、第１ＩＦカウント値を計数する（ステップＳ４４）。このようにして計数された第１ＩＦカウント値によって求められたＩＦ信号の周波数が、（４５５−４０）ｋＨｚ以上（４５５＋４０）ｋＨｚ以下の範囲内にあるか否かを判別する（ステップＳ４５）。
【００５６】
このとき、前記ＩＦ信号が前記範囲内にあるとき、ステップＳ４６に移行し、前記範囲内にないとき、ステップＳ５２に移行する。ステップＳ４６に移行すると、スイッチング信号が第２スイッチング信号に切り換えられ、ステップＳ４７において、第１ＩＦカウント値と同様にして、第２ＩＦカウント値が計数される。このように該第２ＩＦカウント値が計数されると、前記第１，第２ＩＦカウント値が一致するか否かを判別する（ステップＳ４８）。ステップＳ４８で、前記第１，第２ＩＦカウント値が一致しないとき、ステップＳ４９に移行し、一致するとき、ステップＳ５２に移行する。
【００５７】
ステップＳ４９に移行すると、第Ｍスイッチング信号の周波数ＦMｋＨｚを、前記第ＭＩＦカウント値Ｘカウント及び前記第Ｍ特定受信周波数Ｎの周波数ＦMNｋＨｚを元に、
ＦM＝（ＦMN−（Ｘ−４５５０）÷１０）÷Ｎ
のような計算を行って求める。このようにして前記第Ｍスイッチング信号の周波数ＦMを求めると、それをコントロールマイコン１４に記憶させ、ステップＳ５０に移行する。ステップＳ５０では、Ｍが２であるか否かを判別し、Ｍが２であるとき、プログラムを終了し、Ｍが１のときは、ステップＳ５１に移行してＭ＝２、Ｎ＝１のようにＭ及びＮの値を定めてステップＳ４２に移行する。
【００５８】
ステップＳ４５又はステップＳ４８から、ステップＳ５２に移行したとき、Ｎが３であるか否かが判別され、Ｎ≠３のときステップＳ５３に移行してＮを元のＮの値に１加えた値にした後ステップＳ４２に移行し、Ｎ＝３のときステップＳ５５に移行して、Ｍが２であるか否かを判別する。ステップＳ５５で、Ｍが１であるとき、ステップＳ５４に移行してＭ＝２、Ｎ＝１のようにＭ及びＮの値を定めてステップＳ４２に移行し、Ｍが２であるとき、ステップＳ５６に移行してエラー処理を行う。
【００５９】
ステップＳ５６に移行してエラー処理となった場合、スイッチング信号の周波数を測定できていないので、前記特定受信周波数をそれぞれ、１チャンネル毎（ＡＭラジオ放送の時は、９ｋＨｚ）にステップアップ又はステップダウンして、スイッチング電源からの妨害電波を受信するように前記特定受信周波数をコントロールする。尚、図６に示されたフローチャートのような動作を行うとき、放送信号受信装置が図１に示されるような放送信号受信装置であるとき、信号切換スイッチ１８によって、出力増幅部１５と周波数カウント回路１３が接続されている。
【００６０】
具体的な例を下記に示す。このとき、設計段階において、前記第１スイッチング信号の周波数を上記のように５００ｋＨｚとしているが、実際に動作させたとき、該第１スイッチング信号の周波数が５１０ｋＨｚとなったものとする。
【００６１】
まず、ステップＳ４１でＭ＝１、Ｎ＝１と初期化され、ステップＳ４３で周波数が５２２ｋＨｚである第１特定受信周波数１で受信するように指定されるので、局部発振回路２１から発振される局部発振信号の周波数は、
５２２＋４５５＝９７７ｋＨｚ
として、固定された値となる。又、５２２ｋＨｚの放送信号がなく第１スイッチング信号が妨害電波として働くとき、ＩＦ信号は、その周波数が、
９７７−５１０＝４６７ｋＨｚ
となる。故に、ステップＳ４４において、第２の実施形態と同様に周波数カウント回路１３で１０ｍｓ間カウントすることによって、第１ＩＦカウント値が４６７０カウントとなる。
【００６２】
今、ステップＳ４５において、前記ＩＦ信号の周波数が４６７ｋＨｚとなり、（４５５−４０）ｋＨｚ以上（４５５＋４０）ｋＨｚ以下にあるので、ステップＳ４６，Ｓ４７と移行して、第２ＩＦカウント値が計数される。このとき、前記第１，第２ＩＦカウント値は一致しないので、ステップ４９に移行し、前記第１ＩＦカウント値を用いて、
５２２−（４６７０−４５５０）÷１０＝５１０ｋＨｚ
のように逆算することによって、第１スイッチング信号の周波数を求めることができる。
【００６３】
尚、前記第１特定受信周波数１の周波数と同じ周波数帯に放送信号がある場合、ステップＳ４８で第１，第２ＩＦカウント値が４５５０カウントとなり一致して、ステップＳ５２，Ｓ５３に移行する。その後、ステップＳ４３で周波数が９９９ｋＨｚの第１特定受信周波数２で受信されるように設定される。このとき、９９９ｋＨｚの放送信号がない場合、前記第１スイッチング信号の第１高調波が妨害電波となるので、ＩＦ信号の周波数は、
９９９＋４５５−５１０×２＝４３４ｋＨｚ
となり、第１ＩＦカウント値は４３４０カウントとなる。
【００６４】
よって、該ＩＦ信号が（４５５−４０）ｋＨｚ以上（４５５＋４０）ｋＨｚ以下にあるので、ステップＳ４６，Ｓ４７と移行して、第２ＩＦカウント値が計数される。このとき、ステップＳ４８で第１，第２ＩＦカウント値が一致しないので、第１スイッチング信号の周波数が、
（９９９−（４３４０−４５５０）÷１０）÷２＝５１０ｋＨｚ
のようにして求められる。前記第１特定受信周波数２についても、その周波数と同じ周波数の放送信号がある場合は、上記のようにして、第１特定受信周波数３を用いて、第１スイッチング信号の周波数が求められる。
【００６５】
又、第２スイッチング信号の周波数を求める場合も、図６のフローチャートを通して、第２特定受信周波数１，２，３を用いて上記のような計算を同様に施すことによって、第２スイッチング信号の周波数を測定することができる。このようにして測定した前記第１，第２スイッチング信号の周波数をコントロールマイコン１４内に記憶し、第１又は第２の実施形態のようにして放送信号をオートチューニングする際に、コントロールマイコン１４内に記憶した該第１，第２スイッチング信号を利用して選局することができる。
【００６６】
本発明の第４の実施形態について、図面を参照にして説明する。本実施形態で使用する放送信号受信装置は、第１又は第２の実施形態で使用する放送信号受信装置と同様、図１又は図４に示すような内部構造の放送信号受信装置である。
【００６７】
本実施形態では、コントローラ９（図１，４）から出力される前記第１，第２スイッチング信号の周波数及び前記特定受信周波数を、それぞれ、放送帯域外に設定することによって、前記第１，第２スイッチング信号の周波数を測定する。この特定受信周波数、スイッチング信号、及び放送帯域の関係を、横軸が周波数の大きさを表す図１０に示す。図１０のように、放送帯域が一定周波数ｆｄｋＨｚ毎に放送チャンネルが割り当てられているものとすると、前記放送帯域以外の周波数帯域においても、ｆｄｋＨｚ毎にチャンネルを割り当てる。又、スイッチング信号が、放送帯域外の周波数のスイッチング信号となるので、その特定受信周波数を図１０のように、前記スイッチング信号の基本波に周波数的に近い放送帯域外のチャンネルの周波数とすることができる。
【００６８】
即ち、ＡＭラジオ放送を受信するような放送信号受信装置の場合、前記第１，第２スイッチング信号の周波数を、それぞれ、４７０ｋＨｚ、５２０ｋＨｚとして、ＡＭラジオ放送の放送帯域である５２２ｋＨｚ〜１６２９ｋＨｚの範囲以外の周波数に設定する。又、前記特定受信周波数も同様に、５２２ｋＨｚ〜１６２９ｋＨｚの範囲以外の周波数である５０４ｋＨｚに設定する。
【００６９】
このように、前記第１，第２スイッチング信号及び前記特定受信周波数を設定し、前記第１，第２スイッチング信号を切り換えて前記第１，第２ＩＦカウント値を周波数カウント手段１３で１０ｍｓ間計数することによって、該第１，第２ＩＦカウント値の値Ｘ１，Ｘ２が、それぞれ、
Ｘ１＝５０４０＋４５５０−４７００＝４８９０カウント
Ｘ２＝５０４０＋４５５０−５２００＝４３９０カウント
となる。このようにして計数した第１，第２ＩＦカウント値を、第３の実施形態のようにして逆算することによって、前記第１，第２スイッチング信号の周波数を測定することができる。尚、このような動作を行うとき、放送信号受信装置が図１に示されるような放送信号受信装置であるとき、信号切換スイッチ１８によって、出力増幅部１５と周波数カウント回路１３が接続されている。更に、このようにして測定した前記第１，第２スイッチング信号の周波数をコントロールマイコン１４（図１，４）内に記憶し、第１又は第２の実施形態のようにして放送信号をオートチューニングする際に、コントロールマイコン１４内に記憶した該第１，第２スイッチング信号を利用して選局することができる。
【００７０】
本発明の第５の実施形態について、図面を参照にして説明する。本実施形態で使用する放送信号受信装置は、第２の実施形態で使用する放送信号受信装置と同様、図４に示すような内部構造の放送信号受信装置である。図７は、第１，第２スイッチング信号の基本波及び高調波の周波数及びイメージ受信周波数の値を示す表である。
【００７１】
ＡＭラジオ放送を受信するときの選局動作を例にとって説明する。今、このＡＭラジオ放送の放送帯域は、５２２ｋＨｚ〜１６２９ｋＨｚである。よって、イメージ妨害を考慮に入れたとき、スイッチング信号の基本波及び高調波が妨害電波となる周波数の範囲は、ＩＦ信号の周波数が４５５ｋＨｚであることから、その上限が、
１６２９＋４５５＋４５５＝２５３９ｋＨｚ
となるので、５２２ｋＨｚ〜２５３９ｋＨｚとなる。放送信号の妨害電波とならないようにするためには、その周波数を放送信号の周波数から４０ｋＨｚ離すことによって実現できる。
【００７２】
よって、イメージ妨害を考慮に入れたとき、その妨害電波となる前記周波数の範囲の上限が２５３９ｋＨｚとなるので、これよりも４０ｋＨｚ高い周波数である  ２５３９＋４０＝２５７９ｋＨｚ  の信号を前記スイッチング信号の高調波とすることで、該高調波が放送帯域において、イメージ妨害を含めた妨害電波として働くことがなくなる。
【００７３】
又、このように２５７９ｋＨｚの周波数の信号を高調波とするスイッチング信号の基本波が、前記周波数の範囲の下限５２２ｋＨｚに最も近くなるようなスイッチング信号の周波数は、２５７９ｋＨｚの前記高調波が、このスイッチング信号の第４高調波としたとき、２５７９ｋＨｚを５分の１する事によって、５１５．８ｋＨｚとなる。このとき、小数点以下を切り上げて５１６ｋＨｚを前記スイッチング信号の周波数とし、該スイッチング信号を第２スイッチング信号とする。更に、前記第２スイッチング信号の周波数より５０ｋＨｚ低い  ５１６−５０＝４６６ｋＨｚ  のスイッチング信号を第１スイッチング信号とする。
【００７４】
このように前記第１，第２スイッチング信号を設定すると、その基本波と第１，第２，第３，第４，第５高調波の周波数、及びこれら基本波と第１，第２，第３，第４，第５高調波のイメージ周波数は図７のようになる。尚、イメージ周波数の欄における妨害なしとは、このイメージ周波数が、放送帯域５２２ｋＨｚ〜１６２９ｋＨｚの信号に妨害を与える周波数帯域である４８２ｋＨｚ〜１６６９ｋＨｚの周波数帯域外にある周波数であることを示す。即ち、第１スイッチング信号の第５高調波のイメージ周波数を例に挙げると、このイメージ周波数が
２７９６−４５５−４５５＝１８８６ｋＨｚ
となり、４８２ｋＨｚ〜１６６９ｋＨｚの周波数帯域外にその周波数があるので、前記放送帯域内の信号に妨害を与えない。
【００７５】
この図７に示した表より、第１スイッチング信号の基本波及び第３，第４，第５高調波と、第２スイッチング信号の第３，第４，第５高調波は、それぞれ、その周波数が４８２ｋＨｚ〜１６６９ｋＨｚの周波数帯域外にあるので、前記放送帯域内の信号に妨害を与えない。よって、図７より放送信号に妨害を与えうる信号となる周波数を、周波数が低い方から順に列挙すると、５１６ｋＨｚ、６３８ｋＨｚ、９３２ｋＨｚ、９５４ｋＨｚ、１０３２ｋＨｚ、１１５４ｋＨｚ、１３９８ｋＨｚ、１４２０ｋＨｚ、１５４８ｋＨｚとなる。このとき、９３２ｋＨｚと９５４ｋＨｚの関係以外は、お互いにその差が４０ｋＨｚよりも大きいことがわかる。又、９３２ｋＨｚ及び９５４ｋＨｚの信号は、第１スイッチング信号により発生するものであるから、第１，第２スイッチング信号から発生するそれぞれの信号間において、その差が４０ｋＨｚ以下になることはない。
【００７６】
よって、例えば第１スイッチング信号で動作したときに、現在受信している放送信号の妨害電波となるとき、第２スイッチング信号で動作させることによって、スイッチング電源１（図４）より発生する電磁波が、前記放送信号の周波数より４０ｋＨｚ以上離れた周波数の電磁波となるので、前記放送信号の妨害を回避することができる。このようにして、第１，第２スイッチング信号の周波数を設定し、実際に放送信号受信装置を動作させたときの前記第１，第２スイッチング信号の周波数を第３又は第４の実施形態のようにして測定してコントロールマイコン１４（図４）に記憶させる。
【００７７】
このようにして記憶された第１，第２スイッチング信号の周波数より、その基本波と第１〜５高調波の周波数及びそれぞれのイメージ周波数を求め、コントロールマイコン１４に記憶させる。そして、オートチューニングを行うときに、第２の実施形態のようにして、前記第１，第２スイッチング信号の周波数を利用して妨害電波を避けて放送信号を選局した後、選局した放送信号の妨害となる基本波と第１〜５高調波をもつスイッチング信号が前記第１，第２スイッチング信号のいずれかを、前記放送信号の周波数とコントロールマイコン１４に記憶した前記第１，第２スイッチング信号の基本波と第１〜５高調波の周波数及びそれぞれのイメージ周波数と比較することによって、判断する。このように判断した結果を基に、コントローラ９（図４）から出力するスイッチング信号を放送信号に妨害を与えないスイッチング信号に設定する。
【００７８】
本発明の第６の実施形態について、図面を参照にして説明する。本実施形態で使用する放送信号受信装置は、第１又は第２の実施形態で使用する放送信号受信装置と同様、図１又は図４に示すような内部構造の放送信号受信装置である。又、図８は、オートチューニングした放送信号をメモリに記憶したときのメモリ構成を示す図である。
【００７９】
第１又は第５の実施形態のようにして、オートチューニングを行った際に、選局する放送信号の妨害とならないスイッチング信号を設定する。本実施形態では、このようにして放送信号を選局したとき、この選局した放送信号を図８のように８ビットの信号としてコントロールマイコン１４（図１，４）内のプリセットメモリ（不図示）に記録する方法について述べる。
【００８０】
ところで、ＡＭラジオ放送は、その放送帯域が５２２ｋＨｚ〜１６２９であるとともに、９ｋＨｚごとに放送チャンネルの周波数が割り当てられている。よって、放送チャンネルが
（１６２９−５２２）÷９＋１＝１２４チャンネル
ある。また、このチャンネル数は、２6＜１２４＜２7となるので、その放送チャンネル毎に信号を割り当てるとき、７ビットのデジタル信号を用いて表すことが可能であることがわかる。
【００８１】
よって、７ビットのデジタル信号が
０００００００
となるとき、５２２ｋＨｚの放送チャンネルに同調するように、局部発振回路２１（図３）より出力される局部発振信号の周波数が、
５２２＋９×０＋４５５＝９７７ｋＨｚ
となるように、分周器２５の分周率を変化させるように、コントロールマイコン１４によって制御される。
【００８２】
この５２２ｋＨｚの周波数の放送チャンネルの次の９ｋＨｚ周波数が高い５３１ｋＨｚの放送チャンネルは、前記７ビットの信号がその値が１増加したデジタル信号
００００００１
で表され、このデジタル信号の放送チャンネルに同調するとき、局部発振回路２１より出力される前記局部発振信号の周波数が、
５２２＋９×１＋４５５＝９８６ｋＨｚ
となる。このように１２４局の放送チャンネルが、それぞれ７ビットの信号で与えられ、その信号の値が１０進数でｄとなるとき、局部発振回路２１より出力される前記局部発振信号の周波数が、
（５２２＋９×ｄ＋４５５）ｋＨｚ
となる。
【００８３】
このようにして、前記放送チャンネルが符号化されたとき、該放送チャンネルの内、放送信号を有する放送チャンネルが前記プリセットメモリ内に記録される。該プリセットメモリに前記放送チャンネルを７ビットのデジタル信号として符号化して記録する際に、図８のように該７ビットのデジタル信号の前に１ビット付加した８ビットの信号として記録する。この付加された１ビット信号は、記録する前記放送信号有する放送チャンネルを妨害することのないスイッチング信号が、第１スイッチング信号であるか否かを判定するための信号である。即ち、前記付加された１ビットの信号が”０”であるとき、第１スイッチング信号が妨害となることを意味し、前記付加された１ビットの信号が”１”であるとき、第２スイッチング信号が妨害となることを意味する。
【００８４】
上記のようにして、前記プリセットメモリに８ビットの信号を放送チャンネルを選局するための信号として記録することによって、記録した後に選局動作を行ったときに、より早く選局することができるとともに、スイッチング電源１（図１，４）から受ける妨害を避けることができる。
【００８５】
【発明の効果】
本発明によると、複数のスイッチング信号の周波数を検出するとともに、選局動作に影響をもたらすことのない周波数のスイッチング信号を選択する手段を有しているので、安定してその選局動作を行うことができる。又、スイッチング信号の周波数を計数するために、選局のためにＩＦ信号を計数する計数手段を用いているので、新たに前記スイッチング信号の周波数を計数するための専用の計数手段を設ける必要がない。
【００８６】
又、本発明によると、受信する放送信号に妨害を与えないスイッチング信号に切り換える手段を有しているので、受信する放送信号に雑音としてスイッチング電源からの電磁波が重畳することがない。又、スイッチング信号の周波数を計数するために、選局のためにＩＦ信号を計数する計数手段を用いているので、新たに前記スイッチング信号の周波数を計数するための専用の計数手段を設ける必要がない。
【００８７】
又、本発明によると、受信する放送信号に基本波及びその高調波が妨害を与えないスイッチング信号に切り換える手段を有しているので、受信する放送信号に雑音としてスイッチング電源からの電磁波が重畳することがない。
【００８８】
又、本発明によると、前記第１，第２のスイッチング信号でスイッチング電源を動作させたときのＩＦ信号の周波数を前記計数手段で計数した前記第１，第２のＩＦカウント値を比較して、該第１，第２のＩＦカウント値が一致するか否かで放送信号を受信しているか否かを判断することによって、従来の放送信号受信装置の内部構造を変えることなく妨害波を回避して放送信号を受信することができる。
【００８９】
又、本発明によると、前記第１、第２のスイッチング信号の基本波及び高調波に周波数的に近い放送チャンネルの局部発振信号で選局動作を行い、このとき、前記計数手段で計数した前記第１，第２のＩＦカウント値が一致しない場合、前記放送チャンネルが前記第１のスイッチング信号の基本波及び高調波に周波数的に近いときは第１のＩＦカウント値より第１のスイッチング信号の周波数を求め、又、前記放送チャンネルが前記第２のスイッチング信号の基本波及び高調波に周波数的に近いときは第２のＩＦカウント値より第２のスイッチング信号の周波数を求めることができるので、従来の放送信号受信装置の内部構造を変えることなく実際に動作させているときのスイッチング信号の周波数を求めることができる。
【００９０】
又、本発明によると、前記放送チャンネルの周波数が放送信号が存在する周波数範囲外の周波数であるので、該放送チャンネル内の放送信号の有無を判別することなく、前記第１，第２スイッチング信号の周波数を求めることができる。
【００９１】
又、本発明によると、実際に前記スイッチング電源を動作させるときの前記スイッチング信号の周波数を測定することが可能なので、前記スイッチング電源を動作させるための前記スイッチング信号を選局する放送信号の妨害とならないスイッチング信号に切り換えるとき、より確実に前記放送信号の妨害とならないスイッチング信号に切り換えることができる。
【００９２】
又、本発明によると、更に、前記スイッチング電源を動作されるための前記スイッチング信号を、その高調波も前記放送信号妨害とならないスイッチング信号に切り換えることができる。
【００９３】
又、本発明によると、前記放送信号を前記記憶手段に記憶させるときに、その記憶手段に前記放送信号の妨害とならないスイッチング信号を選択するための記号と共に記憶されるため、再度前記放送信号をオートチューニングしたときに、該放送信号の妨害とならないスイッチング信号でスイッチング電源が動作するようにスイッチング信号を切り換えることができ、より早い選局ができる。
【図面の簡単な説明】
【図１】本発明の第１、第２の実施形態で使用する放送信号受信装置の内部構造を示すブロック図。
【図２】本発明の第１の実施形態で使用する放送信号受信装置の動作を示すフローチャート。
【図３】受信装置本体の内部構造を示すブロック図。
【図４】本発明の第２〜第５の実施形態で使用する放送信号受信装置の内部構造を示すブロック図。
【図５】本発明の第２の実施形態で使用する放送信号受信装置の動作を示すフローチャート。
【図６】本発明の第３の実施形態で使用する放送信号受信装置の動作を示すフローチャート。
【図７】第１，第２スイッチング信号の基本波及び高調波の周波数及びそれらのイメージ周波数の表。
【図８】チューニングした放送信号を記録する時のメモリ構成。
【図９】第３の実施形態において、スイッチング信号を測定するための放送チャンネルとスイッチング信号の関係を表した図。
【図１０】第４の実施形態において、スイッチング信号を測定するための放送チャンネルとスイッチング信号の関係を表した図。
【符号の説明】
１    スイッチング電源
２    コイル
３    直流電源
４    スイッチ
５    ダイオード
６    平滑コンデンサ
７    直流化回路
８    負荷
９    コントローラ
１０    アンテナ
１１    ＩＦ信号変換部
１２    ＰＬＬ用ＩＣ
１３    周波数カウント回路
１４    コントロールマイコン
１５    出力増幅部
１６    スピーカ
１７    受信装置本体
１８    信号切換スイッチ
１９    ＲＦ増幅回路
２０    ミキサ
２１    局部発振回路
２２    ＩＦ増幅回路
２３    検波回路
２４    出力増幅回路
２５    分周器
２６    位相比較回路
２７    分周器
２８    基準波発振回路
２９    ＬＰＦ
【図１】
0003664898.tif 000002
【図２】
0003664898.tif 000003
【図３】
0003664898.tif 000004
【図４】
0003664898.tif 000005
【図５】
0003664898.tif 000006
【図６】
0003664898.tif 000007
【図７】
0003664898.tif 000008
【図８】
0003664898.tif 000009
【図９】
0003664898.tif 000010
【図１０】
0003664898.tif 000011